(57)【要約】【課題】表示部の不要となった表示を削減することにより、電力の無駄を削減することが可能な洗濯機を提供する。【解決手段】実施形態に係る洗濯機は、運転動作の設定を変更可能な複数の運転動作操作部と、運転中に運転状況を表示する運転状況表示部とを有する。運転動作の設定を変更可能な期間は、前記運転動作操作部のうち、少なくともいずれかの前記運転動作の設定を変更可能な前記運転動作操作部を表示させる。所定期間が経過した後に、前記運転動作操作部の表示を消灯する。【選択図】図４
2016163636.tif 000002
【特許請求の範囲】
【請求項１】
運転動作の設定を変更可能な複数の運転動作操作部と、
運転中に運転状況を表示する運転状況表示部と、を有し、
運転動作の設定を変更可能な期間は、前記運転動作操作部のうち、少なくともいずれかの前記運転動作の設定を変更可能な前記運転動作操作部を表示させ、
所定期間が経過した後に、前記運転動作操作部の表示を消灯することを特徴とする洗濯機。
【請求項２】
前記期間は、洗濯物の追加投入が可能な期間であることを特徴とする請求項１に記載の洗濯機。
【請求項３】
前記期間は、洗い行程終了時まで、又は、洗い行程後の排水開始までの期間であることを特徴とする請求項１に記載の洗濯機。
【請求項４】
前記期間は、洗濯物の重量測定後の、洗剤投入量の表示が終了するまでの期間であることを特徴とする請求項１に記載の洗濯機。
【請求項５】
さらにスタート／一時停止操作部を有し、前記スタート／一時停止操作部は前記期間が経過した後も点灯を継続する請求項１から４の何れか一項に記載の洗濯機。
【請求項６】
さらに全行程の残り時間を表示する残時間表示部を有し、前記残時間表示部は前記期間が経過した後も点灯を継続する請求項１から５の何れか一項に記載の洗濯機。
【請求項７】
さらに現在運転している行程を表示する行程表示部を有し、前記行程表示部は前記期間が経過した後も点灯を継続する請求項１から６の何れか一項に記載の洗濯機。
【請求項８】
さらに選択されている運転コースを表示する運転コース表示部を有し、前記運転コース表示部は前記期間が経過した後も点灯を継続する請求項１から７の何れか一項に記載の洗濯機。
【請求項９】
さらに前記表示部の表示パターンを選択可能な切替部を有し、前記切替部は前記期間が経過した後も点灯を継続する請求項１から８の何れか一項に記載の洗濯機。
【請求項１０】
さらに水槽の水位を設定可能な水位設定部を有し、前記水位設定部は前記期間が経過した後も点灯を継続する請求項１から９の何れか一項に記載の洗濯機。
【請求項１１】
さらに電源切断操作部を有し、前記電源切断操作部は、前記期間が経過した後も点灯を継続する請求項１から１０の何れか一項に記載の洗濯機。
【発明の詳細な説明】
【技術分野】
【０００１】
本発明の実施形態は、洗濯機に関する。
【背景技術】
【０００２】
近年、洗濯機、又は洗濯乾燥機は回転槽を横軸型のドラムとし、開口を筐体の前面側に設けて洗濯物の投入口とした、いわゆるドラム式洗濯乾燥機が商品化され普及しつつある。最近では、前記ドラム式洗濯乾燥機に乾燥時の電力低減を目的にヒートポンプによる凝縮熱を利用した衣類乾燥装置を設けた技術が発明されて、従来のヒーターによる乾燥に比べ、大幅な電力低減を可能とした。このヒートポンプ方式による乾燥装置においても、年々乾燥効率の向上がなされており、大幅な電力の低減は見込めない状況となりつつある。
【０００３】
しかし、地球環境に配慮した場合には、更なる電力の低減が望まれているため、大幅な電力の低減は見込めないとしても、たとえわずかであっても、ひとつひとつ電力の低減や無駄な電力を省いていくことで、さらなる電力の低減を図っていく必要がある。
【０００４】
従来より、洗濯機の運転中の表示装置については、電力削減のため、運転中は、表示の輝度レベルを落とすなどして運転している。
【先行技術文献】
【特許文献】
【０００５】
【特許文献１】特開平５−４２２９３号公報
【発明の概要】
【発明が解決しようとする課題】
【０００６】
しかし、仮に、運転中の表示が消灯されるとすると、ユーザが必要な情報を得られなくなるため、使用者には不便と感じることもあり、運転中に表示を完全に消灯したり、必要な表示を選択したりすることはできなかった。
【０００７】
そこで、表示部の不要となった表示を削減することにより、電力の無駄を削減することが可能な洗濯機を提供する。
【課題を解決するための手段】
【０００８】
実施形態に係る洗濯機は、運転動作の設定を変更可能な複数の運転動作操作部と、運転中に運転状況を表示する運転状況表示部とを有する。運転動作の設定を変更可能な期間は、前記運転動作操作部のうち、少なくともいずれかの前記運転動作の設定を変更可能な前記運転動作操作部を表示させる。所定期間が経過した後に、前記運転動作操作部の表示を消灯する。
【図面の簡単な説明】
【０００９】
【図１】実施形態に係る洗濯機の構成例を示す図
【図２】洗濯機の構成例を示す図
【図３】洗濯機の操作パネルの構成例を示す図
【図４】第１実施形態に係る操作パネルの表示例を示す図
【図５】第２実施形態に係る操作パネルの表示例を示す図
【図６】第３実施形態に係る操作パネルの表示例を示す図
【図７】第３実施形態に係る操作パネルの表示例を示す図
【図８】第４実施形態に係る操作パネルの表示例を示す図
【図９】第４実施形態に係る操作パネルの表示例を示す図
【図１０】第４実施形態に係る操作パネルの表示例を示す図
【図１１】第４実施形態に係る操作パネルの表示例を示す図
【発明を実施するための形態】
【００１０】
以下、洗濯機に係る複数の実施形態について図面を参照しながら説明する。なお、各実施形態で実質的に同一の要素には同一の符号を付し、説明を省略する。
（第１実施形態）
図１に第１実施形態に係る洗濯機の構成の一例を示す。図１に示す洗濯機１０は、乾燥機能を備えたドラム式洗濯乾燥機であって、洗濯機本体１２、扉１６、給水口２０を備えている。洗濯機１０において、扉１６側を洗濯機１０の前側とし、扉１６と反対側を洗濯機１０の後側とする。
【００１１】
洗濯機本体１２は、洗濯機１０の外殻を構成するもので、前面が滑らかに傾斜した矩形の箱状に形成されている洗濯機本体１２の前面中央部分には、開口１４が設けられている。開口１４は、洗濯機本体１２の内部に設けられた図示しない回転槽に連通されており、洗濯物は、この開口１４を通して回転槽内に出し入れされる。扉１６は、開口１４を開閉可能に設けられている。扉１６は、扉ボタン１８を操作することにより開放される。また、洗濯機１０前面には人感センサ４４が設けられている。
【００１２】
洗濯機本体１２の上面には、給水口２０が設けられている。給水口２０は、図示しない給水ホースによって水源となる水道の蛇口に接続される。そして、水道の蛇口からの水は、給水ホース及び給水口２０を通って、洗濯機本体１２内に設けられた図示しない水槽内へ供給される。操作パネル２２（運転状況表示部）は、洗濯機１０の運転に関する各種設定の操作及び表示を行うもので、洗濯機本体１２の上面前側に設けられている。
【００１３】
図２に、第１実施形態に係る洗濯機１０の概略構成を示す。洗濯機１０は、図２に示す制御装置３０を有している。制御装置３０は、ＣＰＵ、ＲＡＭ、ＲＯＭ、記憶装置などを有している。制御装置３０は、例えばＲＯＭに記憶したプログラムを実行することにより種々の機能を実現するとともに、以下の各部位と信号の送受信を行い、必要に応じた制御を行う。記憶装置としては例えばフラッシュメモリ等を用いることができ、例えば、ユーザの設定内容などが記憶される。
【００１４】
制御装置３０は、図２に示すように、モータ４６、排水弁４８、給水弁５０、圧縮機５２、送風機５４などに接続されている。それぞれ詳細な説明は省略するが、モータ４６は、洗濯機本体１２内に設けた図示しない回転槽を回転させるためのものである。排水弁４８は、図示しない水槽内の水を機外へ排水するためのものである。給水弁５０は、給水口２０と図示しない水槽内との連通を開閉し、水槽内へ給水を行うためのものである。圧縮機５２は、乾燥機能用のヒートポンプユニットを構成するものである。送風機５４は、ヒートポンプユニットにより生成された温風を図示しない回転槽内へ供給するためのものである。
【００１５】
また、制御装置３０は、温度センサ３２、水位センサ３４、回転センサ３６、扉センサ３８、及び人感センサ４４などの機器に接続されている。それぞれ詳細な説明は省略するが、温度センサ３２は、洗濯機１０の周囲の温度を検知するものである。水位センサ３４は、水槽内の水位を検出するものである。回転センサ３６は、図示しない回転槽の回転位置及び回転速度を検出するものである。扉センサ３８は、扉１２の開閉を検出するものである。人感センサ４４は、人の存在を検知するための装置であり、例えば電波式、超音波式、赤外線式など、どのような方式の人感センサを用いてもかまわない。
【００１６】
また、制御装置３０は操作パネル２２を有している。操作パネル２２には、操作部４００及び表示部５００が配置されている。操作部４００及び表示部５００は操作パネル２２を構成している。表示部５００は、洗濯機１０の設定内容の表示、運転中等の洗濯機１０の運転状況の表示などの、各種情報の表示がなされる表示部である。操作部４００は、運転コースの選択などの操作を行う操作部であり、設定内容は表示部５００に表示される。
【００１７】
図３は第１実施形態に係る洗濯機１０の操作パネル２２の概要を示した図である。以下、それぞれの表示部での表示について、単に「点灯」という場合は「点滅」も含むものとする。操作パネル２２は表示部５００、及び操作部４００を有している。操作パネル２２としては、表示パネル２２の内側に、透明電極フィルム、光源としてＬＥＤランプなどを組み合わせ、透過した光で表示パネル２２の文字等が光ることにより操作部が認識される構成とすることができる。本実施形態において、操作パネル２２はこの構成として説明する。
【００１８】
操作部４００は操作ボタンであり、運転コースを選択する操作部４２０（運転動作操作部、運転コース表示部）、スタート／一時停止を行う操作部４３０、運転コースの各行程の詳細設定を行う行程表示部４４０、電源切ボタン４１０（電源切断操作部）、電源入ボタン４１２を有している。行程表示部４４０は、例えば洗いボタン４４１、すすぎボタン４４２、脱水ボタン４４３、乾燥ボタン４４４、ふろ水ボタン４４５、予約ボタン４４６、及び水位ボタン４４７（水位設定部）を備えている。電源入ボタン４１２は洗濯機１０の電源をオンするボタンであり、電源切ボタン４１０は洗濯機１０の電源をオフするボタンである。
【００１９】
操作部４００、４２０、４３０、行程表示部４４０は操作部と表示部を兼用しており、これを押下することにより操作を行うことが可能な操作部であると同時に、点灯することによって選択されていることや動作中であることなどを表示する表示部でもある。操作部４００及びこれに含まれる操作部４２０、操作部４３０、行程表示部４４０は、それぞれ、表示部の文字の表示の他、その枠毎に表示を点灯、又は消灯することができる。表示部５００は、選択された運転コース内の設定や動作状況を表示する表示部５０１と、各行程の設定内容や残時間等を表示する表示部５０２を有している。
【００２０】
洗濯機１０は、洗い行程の時間、すすぎ行程の回数、脱水行程の時間などを、任意に設定できるようになっており、これら設定は操作パネル２２の行程表示部４４０の各操作部への入力により行われる。また、洗濯機１０は、洗濯対象の衣類の種類や、洗濯度合いなど、様々な目的に対応した運転コースを備えている。
【００２１】
操作パネル２２には、運転コースの選択を行う操作部４２０が設けてあり、操作部４２０は、洗濯ボタン４２１、洗乾ボタン４２２、乾燥ボタン４２３を備えている。洗濯ボタン４２１により選択される洗濯コースについては、標準的な運転コースである標準コース、汚れがひどい洗濯物を洗うのに適したザブザブコースや、念入りに衣類を洗濯するための念入りコースなど、様々なコースを選択できるようになっている。洗濯ボタン４２１を押下する毎に順に表示が切り替わることにより希望のコースを選択することができる。
【００２２】
操作部４２０（４２１〜４２３）の押下により、洗濯、洗乾、乾燥の各運転コースの設定、変更が可能である。操作部４２０によってどの運転コースが選択されているかは、表示部５０１に表示されるとともに、運転中は当該選択された洗濯ボタン４２１、洗乾ボタン４２２、乾燥ボタン４２３の何れかのボタンが点灯する。
【００２３】
また、設定された運転コースにおいて、さらに詳細にコース内容を設定することができる。例えば、洗い行程の時間は、洗いボタン４４１の操作により５〜３０分の範囲で設定可能であり、すすぎ行程の回数は、すすぎボタン４４２の操作により０〜４回の範囲で設定可能となるように構成されている。
【００２４】
脱水行程は、脱水ボタン４４３の操作により０〜９分の範囲で設定可能であり、乾燥行程は、乾燥ボタン４４４の操作により、乾燥自動、お急ぎ、などの乾燥コースの選択、及び行程時間が設定可能となるように構成されている。また、ふろ水の使用についてはふろ水ボタン４４５によって、予約については予約ボタン４４６により設定できる。水位ボタン４４７は、洗濯、すすぎ行程での水位を調整する操作部である。図３の表示例では、洗濯コースが選択され、洗い行程＝３０分、すすぎ行程＝４回、脱水行程＝９分と設定されている表示例を示している。
【００２５】
また、洗濯機１０の運転中、表示部５０２には、洗い行程の残時間、すすぎ行程の残回数、脱水行程の残時間が表示される。各設定内容や運転コースによって、ある行程に必要な時間は異なり、行程が進むにつれ残時間は順次減算されて表示される。また、現在運転されている行程がどの行程であるか、例えば、洗い行程中なのか、脱水行程中なのかが判別できるように、行程表示部４４０のうち、現在進行中の行程を点灯表示させるように構成されている。例えば、洗い行程中であれば、洗い表示４４１が、すすぎ行程であればすすぎ表示４４２が、脱水行程であれば脱水表示４４３が、乾燥行程中であれば乾燥表示４４４が点灯表示される。
【００２６】
洗濯コースの運転開始後は、操作部４２０の表示は選択された洗濯コースの表示（洗濯ボタン４２１）のみが点灯表示され、運転中の運転コースが何であるかを認識できるようにしている。また、行程表示部４４０の表示は、現在事項している行程のみが点灯表示され、また、終了した行程表示は消灯される。こうすることで、洗濯機１０の運転状況、すなわち、どの運転コースが選択されているか、どの行程が進行中で、どの行程が残っているのか、という情報が認識可能となる。
【００２７】
表示パネル２２は、あらかじめ設定されたパターンの印刷がされており、表示パネル２２の内側には、表示仕様を可変するための図示しない表示基板が取り付けられている。表示基板には、図示しないＬＥＤランプが配置されている。例えば、洗濯コースとして標準コースを表示する場合は、標準コース文字の下に配置されたＬＥＤランプを点灯させ、ほかのコースについては消灯させる。こうすることで、標準コース部だけが点灯され、標準コースが選択されていることが認識可能となる。洗濯コースを変更すると、順次、別の運転コースを表示した文字の下に配置されたＬＥＤランプを点灯させるようにして、希望する運転コースを選択する。操作パネル２２を、ＬＥＤランプ、透明電極フィルムなどを組み合わせて構成した場合は、消費電力が大きくなるため、不要となった表示を消灯させることで、無駄な電力の削減効果が大きくなる。
【００２８】
本実施形態では、電力の無駄を削減するために、運転開始から所定期間、所定のタイミングが経過した後に、操作パネル２２のうち不要となった表示を消灯させ、以下に説明する第１表示に移行する。第１表示では、例えば、図４に示すように、行程表示部４４０の洗いボタン４４１が点滅表示し、他のすすぎボタン４４２、脱水ボタン４４３、乾燥ボタン４４４、ふろ水ボタン４４５、予約ボタン４４６、水位ボタン４４７が消灯している。洗乾コースの運転においては、洗い、すすぎ、脱水、乾燥と行程が進むにつれて、点滅表示が、洗いボタン４４１、すすぎボタン４４２、脱水ボタン４４３、乾燥ボタン４４４と移行していく。点滅していない他のボタンは消灯される。
【００２９】
また、第１表示では、残時間表示部５０２ａに残り時間が表示されている。また、操作部４００においては、操作部４３０、電源切ボタン４１０、及び電源入ボタン４１２が点灯表示し、洗乾ボタン４２２が点滅表示している。洗いボタン４４１及び洗乾ボタン４２２が点滅表示していることにより、現在選択されているコースが「洗乾コース」であり、現在実施している行程が「洗い行程」であることを認識できる。また、残時間表示部５０２ａに残時間が表示されていることから、全行程の残時間が認識できる。また、操作部４３０、電源切ボタン４１０、電源入ボタン４１２の各ボタンが点灯表示されているため、これらに割り当てられた所定の操作が可能である。
【００３０】
洗濯をスタートさせた後、暫く経過した後は、ユーザは洗濯機１０から離れる場合が多い。従って、そのような場合に、操作パネル２２の表示を全点灯していても、電力の無駄となる。そこで、第１実施形態においては、洗濯をスタートさせた後、所定期間経過後は、以下に示すように不要な表示を消灯させた第１表示とする。
【００３１】
所定期間は、洗濯機１０の運転動作の変更可能な期間とすることができる。所定期間は、例えば洗濯物の追加投入が可能な期間（タイミング）とすることができ、また、例えば洗い行程終了までの期間とすることができる。洗い行程開始から、洗いが終わって排水が開始されるまでの期間は洗剤を含んだ洗濯水が残っているので、洗濯物の追加投入を許容できる。従って、それまでは操作パネル２２の行程表示部４４０の表示を必要とする場合がある。ここで、洗濯物を追加投入した場合は、さらに洗濯時間の延長を行うなどの設定を行えばよい。洗い行程中は、洗いボタン４４１により洗い行程の内容を変更したり、水位ボタン４４７により水位を変更したり、あるいは脱水時間を変更したりする可能性がある。そのため、洗い行程が終了するまでは、行程表示部４４０の各ボタン（４４１〜４４７）を点灯させておき、洗い行程が終了した後は、必要性がなくなるため消灯することとする。
【００３２】
また、所定期間を、例えば、洗い行程終了の５分前、すなわち、排水を開始する５分前までとしてもよい。この期間（タイミング）であれば追加の洗濯物の投入が可能であり、また、排水開始前５分というように、大方の洗い行程が終了した場合にまで、時間を延長してまで追加投入を行いたくないと考える場合に適する。
【００３３】
また、所定期間は、洗濯物の重量測定後の洗剤投入量の表示が終了するまでの期間としてもよい。この期間は、ユーザが洗剤を投入するために洗濯機１０前で作業をしているため、操作パネル２２の表示を点灯させておく方が都合がよい。以上のように、本実施形態では、所定期間は、洗濯機１０の運転動作の変更可能な期間とすることができる。
【００３４】
操作部４３０は洗濯機１０の一時停止を行う場合があるため、所定期間が経過した後も点灯を継続する。また、電源切ボタン４１０、電源入ボタン４１２は安全上の理由から点灯されていることが望ましいため、これらボタンも点灯を継続する。
【００３５】
所定期間の経過後は、操作パネル２２の表示は第１表示に移行する。第１表示では、ほとんどの表示が消灯されている。従って、何らかの理由でユーザが洗濯機１０の操作を再開したい場合に備えて、操作パネル２２の何れかの操作部４００への入力により、操作パネル２２を全点灯させる制御を行う。ユーザが、操作パネル２２の何れかの操作部４００にタッチすると、操作部４００から制御装置３０に入力信号が送信される。制御装置３０はこの受信を受け、操作パネル２２の表示部５００を点灯させる制御を行う。また、例えば、操作パネル２２の全面をタッチセンサの感受部としておき、操作パネル２２のどの部分をタッチしても上述の制御を行うこととするようにしてもよい。
【００３６】
また、あるいは、人感センサ４４により、ユーザが洗濯機１０付近に近づいたことを検知し、これによって、操作パネル２２を全点灯させる制御を行うこととしてもよい。この場合は、ユーザが、洗濯機１０に近づき、人感センサ４４がこれを検知すると、人感センサ４４は検知信号を制御装置３０に送信する。制御装置３０はこの受信を受け、操作パネル２２の表示部５００を点灯させる制御を行う。人感センサ４４は洗濯機１０とは別体として、例えば洗面所の入り口に設置できるようにしてもよい。このような構成にすると、洗濯機１０の状況を少し離れた場所から確認したい場合などに便利であり、利便性の向上に寄与する。また、扉センサ３８によって検出される扉１６の開閉信号によって同様の制御を行ってもよい。
【００３７】
また、洗濯機１０の運転終了の例えば５分前に、第１状態において消灯していた表示を点灯させる制御を行ってもよい。ユーザは洗濯の終了間際になると、洗濯機１０の運転が終了しているかどうかが気になるものである。そこで、上述のように全行程の終了５分前に、操作パネル２２の全項目の点灯を行う。これによれば、ユーザは少し離れた場所からでも残時間が５分程度であることが認識できるので便利である。また、この時間はユーザが自由に設定できる。例えば、洗濯終了前５分前、１０分前、１５分前と言うように、あるいは、１分毎に任意に設定できる。これにより、ユーザは自分の好みに合わせて上記時間を設定できるため、利便性の向上に寄与する。
【００３８】
この構成により、洗濯機１０の運転中の無駄な消費電力を削減することができ、省エネ性を向上させることができる。また必要な期間はユーザへの必要な情報を提供しつつ、利便性を失わせることなく、無駄な電力の削減を可能とする。
【００３９】
所定期間が経過した後、例えば脱水行程に移行した後においても、さらに洗濯物の追加投入を行いたい場合や、あるいはその他の設定変更を行いたい場合がある。この場合は、勿論、従来通りに、操作部４３０、電源切ボタン４１０などを押下して洗濯機１０の運転を一旦停止させた後、再度最初から設定をやり直すところから始めることは可能である。
【００４０】
また、例えば、チャイルドロック設定など、所定期間経過後であっても必要性が生じれば設定を行いたいと希望する場合がある。例えば、チャイルドロックの解除が、水位ボタン４４７と操作部４３０の同時押下により実行されるような設定であると、この場合は、水位ボタン４４７と操作部４３０がチャイルドロックの解除操作部としての機能を担う。しかし、所定期間経過後は水位ボタン４４７と操作部４３０が消灯されている設定であると、チャイルドロックを設定して、洗濯を開始し、所定期間が経過した後は、水位ボタン４４７と操作部４３０が消灯される。ここで、チャイルドロックの解除を行いたい場合は、この消灯させた状態から、再度表示を点灯させ、その後にチャイルドロック解除操作を行うこととなり、不便である。そこで、上述のように、例えばチャイルドロックのように、洗濯機１０の運転開始時に設定し、洗濯を開始し所定期間が経過しても、水位ボタン４４７及び操作部４３０の点灯を継続する。また、この場合、チャイルドロックの解除後は、通常通りの表示となり、所定期間経過後であれば、操作パネル２２は第１表示となる。
【００４１】
このようにすることで、所定期間が経過した後であっても、例えばチャイルドロックの解除を容易に行える状態となり、ユーザの利便性を向上させることができ、また必要な操作を行った後は、第１表示となるため、無駄な電力の削減を可能とする。
【００４２】
なお、操作パネル２２として、上述の構成だけでなく、例えば、タッチセンサ機能を有した液晶パネルを用いてもよい。操作パネル２２を表示させるために液晶パネルを用いた場合も、ＬＥＤランプを使用した場合と同様に電力を使用しているため、不要となった表示を消灯させることにより、無駄な電力を削減することができる。
【００４３】
（第２実施形態）
次に第２実施形態について説明する。第１実施形態と同一の要素には同一の符号を付し、説明を省略する。第２実施形態は、所定期間として、どの行程のどのタイミングまでとするかをユーザが自由に任意に設定できる。第２実施形態では、例えば、洗い行程の終了時、洗い行程の前の排水の前、すすぎが開始する前、脱水行程の前、等、ユーザが自由に設定できるようにする。所定期間は、例えば運転開始後５分と言うようにあらかじめ設定した時間でもよいし、ユーザが自由に所定期間を設定できることとしてもよい。例えば、洗濯機１０の購入時の電源投入時の初期設定において、所定期間を設定するようにしてもよい。
【００４４】
以下に、ユーザが、各項目について所定期間を設定する場合についての手順の一例を説明する。図５はこの場合の操作パネル２２の表示例である。以下に説明する設定は、洗濯機を戦記に購入した場合、又は、出荷時状態に戻した場合であって、初めて電源投入した場合に設定することを想定している。
【００４５】
洗濯機を新規購入し、本体を設置後、初めて本体の電源を入れたとき、又は、洗濯機の設定をリセットし工場出荷状態に戻した後、初めて本体の電源を入れた場合に、操作パネル２２の表示は、自動で各設定の設定モードとなる。ユーザは、取扱説明書などに従い、これを操作し、設定を行うことができる。
【００４６】
図５は電源投入後の設定モードにおける操作パネル２２の表示例を示している。操作パネル２２では、残時間を表示する残時間表示部５０２ａに、設定表示の第１面を示す「ＳＥｔ１」（セット１）と表示される。洗い時間表示部５０２ｂ、すすぎ回数表示部５０２ｃ、脱水時間表示部５０２ｄに、それぞれ「１」、「０」、「０」と表示されている。ここで、「１」は所定期間経過後の点灯表示ＯＮ、「０」は所定期間経過後の点灯表示ＯＦＦという設定内容である。表示部５０２ｂ、５０２ｃ、５０２ｄの設定は、それぞれ洗いボタン４４１、すすぎボタン４４２、脱水ボタン４４３の押下により設定する。これにより、消灯させる行程（タイミング）を設定する。例えば、「洗い＝１」の場合は、洗い行程終了時のタイミング、「すすぎ＝１」の場合は、すすぎ行程終了のタイミング、「脱水＝１」の場合は、脱水行程終了のタイミングで、所定期間が設定される。
【００４７】
上記のように、所定期間をユーザによって自由に任意に設定できることで、ユーザの使用用途や使用方法、ユーザの好みに合致させることができるため、利便性の向上に寄与する。
【００４８】
（第３実施形態）
次に、第３実施形態について説明する。第１、第２実施形態と同一の要素には同一の符号を付し、説明を省略する。第３実施形態では、ユーザは、所定期間経過後に表示させる項目を自由に任意に設定できる。以下に、その設定手順の一例を説明する。
【００４９】
操作パネル２２において、所定期間経過後に表示させる項目については、洗濯機１０を新規購入し本体を設置後初めて本体の電源を入れたとき、又は、洗濯機の設定をリセットし工場出荷状態に戻した後初めて本体の電源を入れた場合に、表示が、自動であらかじめ定められた設定モードとなる。ユーザは、取扱説明書などに従い、これを操作し、設定を行うことができる。図５に示す第２実施形態での設定終了後、スタート／一時停止の操作部４３０を押すと、図６に示すように、操作パネル２２では、残時間を表示する残時間表示部５０２ａで、設定表示の第２面を示す「ＳＥｔ２」（セット２）と表示される。図６に示すように、洗い時間表示部５０２ｂ、すすぎ回数表示部５０２ｃ、脱水時間表示部５０２ｄに設定内容が表示される。ここで、「１」は表示ＯＮ、「０」は表示ＯＦＦという意味である。洗いボタン４４１、すすぎボタン４４２、脱水ボタン４４３の各ボタンを押下することにより、５０２ｂ〜５０２ｄに表示する各設定項目を設定し、消灯させる表示を設定する。洗い時間表示部５０２ｂは残時間表示部５０２ａのＯＮ／ＯＦＦを示し、すすぎ回数表示部５０２ｃは動作状況を表示する表示部５０１のＯＮ／ＯＦＦを示し、脱水時間表示部５０２ｄは表示部５０２の乾燥モードのＯＮ／ＯＦＦを示している。ここでは、それぞれ「１」、「０」、「０」と設定された例を示しており、残時間表示部５０２ａはＯＮ、表示部５０１はＯＦＦを示し、乾燥モードはＯＦＦという設定である。続いて、さらにスタート／一時停止の操作部４３０を押下すると、図７に示すように、操作パネル２２では、残時間を表示する残時間表示部５０２ａで、設定表示の第３面を示す「ＳＥｔ３」（セット３）と表示され、行程表示と運転コース表示の設定となる。ここで、洗い時間表示部５０２ｂが行程表示部４４０のＯＮ／ＯＦＦを示し、すすぎ回数表示部５０２ｃが運転コース内容を示す操作部４２０のＯＮ／ＯＦＦを示している。ここで、「３」が表示ＯＮで、「４」が表示ＯＦＦとなる。設定項目が多いため、このように同じ表示部を使用しながら、設定数値を変更することで、どの表示のＯＮ／ＯＦＦを設定しているかを認識できるようにした。ここでは、行程表示部４４０は「３」でＯＮ、操作部４２０は「４」でＯＦＦという設定である。
【００５０】
このように、本実施形態では、運転初期に、自動的に個人設定を行うモードになることで、簡単に初期設定を行うことができ、また、洗濯機１０の使用開始時からユーザの使用用途、好みに合わせた表示設定をすることができる。
【００５１】
（第４実施形態）
次に、第４実施形態について図８から図１１を用いて説明する。第１から第３実施形態と同一の要素には同一の符号を付し、説明を省略する。以下、図８に示す操作パネル２２の表示を第２表示と称する。同様に、図９に示す操作パネル２２の表示を第３表示と、図１０に示す操作パネル２２の表示を第４表示と、図１１に示す操作パネル２２の表示を第５表示と称することとする。
【００５２】
図８から図１１に示すように、操作パネル２２は表示切替ボタン４５０（切替部）を有している。他の構成は、図３に示す第１実施形態に係る第１表示と同じである（図４参照）。第２表示が第１表示と異なる点は、第２表示は表示切替ボタン４５０を有する点であり、その他の構成は同じであるため説明は省略する。
【００５３】
本実施形態では、表示切替ボタン４５０を用いて操作パネル２２の表示第２表示から第５表示の任意の表示パターンに切り替えができるところに特徴がある。表示切替ボタン４５０は以下に示すように、第２表示、第３表示、第４表示、第５表示を順に切り替えるための操作部である。
【００５４】
まず、ユーザが洗濯機１０を操作し、洗濯を開始して所定期間が経過した後には、全部点灯状態から、まず、図８に示す第２表示に切り替わる。第２表示において、表示切替ボタン４５０は点灯表示されている。他の構成は第１実施形態における第１表示と同じである。
【００５５】
次に、表示切替ボタン４５０を押下すると、図８に示す第２表示から、図９に示す第３表示に切り替わる。第３表示が第２表示と異なる点は、第３表示では、行程表示部４４０（洗いボタン４４１、すすぎボタン４４２、脱水ボタン４４３、乾燥ボタン４４４）、及び運転コースの選択を行う操作部４２０が消灯されている点である。第２表示では残時間表示部５０２ａが点灯している。行程表示部４４０及び洗乾ボタン４２２が消灯されているため、現在選択されている運転コース、及び現在実施している行程が認識できないが、残時間表示部５０２ａが表示されているため、全行程の残時間を認識することができる。ユーザが、残時間さえ把握できれば十分と考えている場合は残時間表示部５０２ａを表示し、それ以外の表示は消灯しても構わない。そこで、第３表示ではこのように表示している。第３表示では第１表示に比較して、さらに表示が少なくなっているため、さらなる電力削減に貢献できる。
【００５６】
ただし、操作部４３０は緊急停止のためなど安全上の意義があるため点灯表示としている。また、電源切ボタン４１０、電源入ボタン４１２、表示切替ボタン４５０の各ボタンは使用する可能性があるため点灯表示されている。これは後述する第３〜第５表示においても同じである。
【００５７】
次に、さらに表示切替ボタン４５０を押下すると、図９に示す第３表示から、図１０に示す第４表示に切り替わる。第４表示が第２表示と異なる点は、残時間表示部５０２ａ及び選択されている運転コースを表示する操作部４２０が消灯されている点である。すなわち、第４表示ではこれに代えて、行程表示部４４０のうち現在行っている行程（図１０においては、洗いボタン４４１）が点灯表示されている。第４表示では、残時間表示部５０２ａが表示されていないため残時間の認識ができないが、行程の進行に合わせて、行程表示部４４０が点灯表示されるため、現在実施されている行程を認識することができる。ユーザが、残時間表示部５０２ａは不要であって、現在進行している行程さえ認識できれば十分であると考えている場合は、行程表示部４４０を表示させ、残時間表示部５０２ａは消灯することとしても構わない。そこで、第４表示ではこのように表示している。第４表示では第１表示に比較して、さらに表示が少なくなっているため、さらなる電力削減に貢献できる。
【００５８】
次に、さらにまた表示切替ボタン４５０を押下すると、図１０に示す第４表示から、図１１に示す第５表示に切り替わる。第５表示が第２表示と異なる点は、第５表示では残時間表示部５０２ａ、及び行程表示部４４０が消灯されている点である。ここでは現在選択されている運転コースを表示する操作部４２０が点灯している。図１１では、洗乾コースが選択されている例を示しており、洗乾ボタン４２２が点灯している。
【００５９】
第５表示では、残時間表示部５０２ａ及び行程表示部４４０が表示されていないため残時間及び現在実施している行程の認識ができないが、操作部４２０のうち現在選択されている運転コースの操作部が点灯表示されるため、現在実施されている運転コースを認識することができる。ユーザが、残時間表示部５０２ａ及び行程表示部４４０の表示は不要であって、現在選択している運転コースさえ認識できれば十分であると考えている場合は、操作部４２０のうち現在選択されている運転コースの操作部は点灯表示させ、残時間表示部５０２ａ及び行程表示部４４０は消灯することとしても構わない。そこで、第５表示ではこのように表示している。第５表示では第１表示に比較して、さらに表示が少なくなっているため、さらなる電力削減に貢献できる。
【００６０】
次に、さらにまた表示切替ボタン４５０を押下すると、図１１に示す第５表示から、図８に示す第２表示に切り替わる。以後、表示切替ボタン４５０を押下するたびに、第２表示→第３表示→第４表示→第５表示と順に切り替わり、これが繰り返される。ユーザは、希望する表示となった場合は、それ以上の表示切替ボタン４５０の押下を止めればよい。
【００６１】
以上に説明した構成により、洗濯機１０の運転中に、ユーザが不要と感じた表示項目が消灯された表示となるように、操作パネル２２の表示設定を切り替えることができる。このため、無駄な表示を削減した表示とすることができるため、省エネにつなげることができる。また、実際に表示内容ながら設定することができるため、よりユーザの好みや使用方法にあった表示設定とすることができる。
【００６２】
なお、上述のように表示切替ボタン４５０を押下することにより、第２表示から第５表示のいずれかに表示パターンを切り替えた場合、制御装置３０は、その最後の表示パターンを、制御装置３０が備える記憶装置に記憶する制御を行う。そして、次回の運転時には、制御装置３０は、記憶した表示パターンの設定を呼び出し、当該表示パターンを表示するように制御を行う。
【００６３】
こうすることで、洗濯機１０の使用の際に、毎回表示パターンを設定する必要性がなくなるため、無駄な操作の必要性がなく、また、設定忘れ防止にもつながるため、利便性が向上する。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
図面中、１０は洗濯機、２２は操作パネル（運転状況表示部）、３０は制御装置、４００は操作部、４１０は電源切ボタン（電源切断操作部）、４１２は電源入ボタン、４２０は操作部（運転動作操作部、運転コース表示部）、４３０はスタート／一時停止の操作部、４４０は行程表示部（運転動作操作部）、４４７水位ボタン（水位設定部）、４５０は表示切替ボタン（切替部）、５００、５０１は表示部（運転状況表示部）、５０２ａは残時間表示部、を示す。
【図１】
2016163636.tif 000003
【図２】
2016163636.tif 000004
【図３】
2016163636.tif 000005
【図４】
2016163636.tif 000006
【図５】
2016163636.tif 000007
【図６】
2016163636.tif 000008
【図７】
2016163636.tif 000009
【図８】
2016163636.tif 000010
【図９】
2016163636.tif 000011
【図１０】
2016163636.tif 000012
【図１１】
2016163636.tif 000013